(57)【要約】【課題】取付けねじが振動・衝撃によって緩むのを防止でき、保守点検、交換等が容易に行なえるねじ固定構造を提供する。【解決手段】ねじ孔３５を有するバンド駒３１と、ねじ孔に対応する取付け孔３６を有する時計本体３２と、ねじ孔に締付けられ、バンド駒と時計本体とを取付けると共に、先端部がねじ孔を貫通して突出する取付けねじ３８と、取付けねじに設けられ、径方向に弾性変形可能であると共に外周部に係合部４０を有する弾性変形部３９と、ねじ孔に連続して設けられ、該ねじ孔に対して取付けねじが所定の位置まで締付けられたとき、弾性変形部の係合部と係合して取付けねじの軸方向の移動を拘束するねじロック部４３と、取付けねじが緩め方向に回転されたとき、弾性変形部と摺動して該弾性変形部を縮径方向に弾性変形して係合部をねじロック部からロック解除するロック解除部４４とを具備したことを特徴とする。【選択図】  図１
2008125639.tif 000002
【特許請求の範囲】
【請求項１】
ねじ孔を有する第１の部材と、前記ねじ孔に対応する取付け部を有し、前記第１の部材に取付けられる第２の部材と、前記取付け部を貫通して前記ねじ孔に締付けられ、前記第１の部材と第２の部材とを取付けると共に、先端部が前記ねじ孔を貫通して突出する取付けねじと、前記取付けねじの前記先端部に設けられ、径方向に弾性変形可能であると共に外周部に係合部を有する弾性変形部と、前記第１の部材のねじ孔に連続して設けられ、該ねじ孔に対して前記取付けねじが所定の位置まで締付けられたとき、前記弾性変形部の係合部と係合して前記取付けねじの軸方向の移動を拘束するねじロック部と、前記第１の部材に設けられ、前記取付けねじが緩め方向に回転されたとき、前記弾性変形部と摺動して該弾性変形部を縮径方向に弾性変形して前記係合部をねじロック部からロック解除するロック解除部とを具備したことを特徴とするねじ固定構造。
【請求項２】
前記取付けねじは、先端部にすり割からなる前記弾性変形部を有し、この弾性変形部の外周部に前記取付けねじに緩め方向に対して前記ねじロック部に係合する抜け止め爪形状の前記係合部を有していることを特徴とする請求項１記載のねじ固定構造。
【請求項３】
前記ロック解除部は、前記ねじロック部と連続する凹陥部を有し、この凹陥部の内周面に、前記前記取付けねじを緩め方向に回転されたとき、前記弾性変形部と摺動して該弾性変形部を縮径方向に徐々に弾性変形させ、前記係合部をねじロック部からロック解除させる傾斜ガイド面を有することを特徴とする請求項１記載のねじ固定構造。
【発明の詳細な説明】
【技術分野】
【０００１】
本発明は、例えば、腕時計本体に対するバンドの接続部分、腕時計本体に対する裏蓋の固定部分等、あらゆる機器における二つの部材を固定する固定部位に適用されるねじ固定構造に関する。
【背景技術】
【０００２】
例えば、腕時計本体に対してバンドを取付けるバンド取付け構造において、取付けねじを使用してバンドを着脱可能に取付ける取付け構造が知られている（例えば、特許文献１参照。）。
前記バンド取付け構造は、時計本体には一対のバンド取付け部が設けられ、これらバンド取付け部には互いに対向する取付け孔が設けられている。バンド取付け部の相互間には内周面に雌ねじ孔を有する連結部材が設けられ、この連結部材はバンドの端部にその長手方向と直交する方向に挿通されている。そして、バンド取付け部の外側から取付け孔に取付けねじを挿通し、連結部材の雌ねじ孔に締付けることにより、時計本体に対してバンドを取付けている。
従って、取付けねじを緩めて連結部材から抜き取ることにより、取付けねじと連結部材とを分離でき、時計本体に対してバンドを取り外すことができ、バンドの交換も容易に行なうことができる。
また、図３は従来のバンド取付け構造を示し、１１は時計本体で、時計本体１１のバンド取付け部１２には連結ピン貫通孔１３及びねじ孔１４が設けられている。バンドピース１５には連結ピン貫通孔１３に挿入される固定ピン１６が設けられ、連結ピン貫通孔１３に固定ピン１６を挿入し、ねじ孔１４に取付けねじ１７を締付けることにより、時計本体１１に対してバンドピース１５が取付けられている。
【０００３】
図４図は従来の裏蓋取付け構造を示し、時計本体１１の裏蓋取付け部１８には複数個のねじ孔１８ａ（１個のみ示す）が設けられている。裏蓋１９にはねじ孔１８ａに対応して取付け孔２０が設けられ、裏蓋取付け部１８と裏蓋１９との間にはＯリング２１が設けられている。そして、裏蓋取付け部１８に対して裏蓋１９を位置決めし、取付け孔２０に対して取付けねじ２２を挿通し、ねじ孔１８ａに取付けねじ２２を締付けることにより、時計本体１１に対して裏蓋１９が取付けられている。なお、２３は文字盤、２４はガラスである。
【特許文献１】特開平１１−２１１号公報
【発明の開示】
【発明が解決しようとする課題】
【０００４】
しかしながら、特許文献１を含め、図４及び図５に示す従来のバンド取付け構造及び裏蓋取付け構造は、ねじ孔に取付けねじを締付け固定した構造であり、振動・衝撃によって取付けねじが緩みやすく取付けねじが自然と脱落する虞がある。そこで、取付けねじの頭部に接着剤を塗布し、取付けねじの緩み止めを行なうことも試みられているが、保守点検や交換の際に取付けねじを緩める際に困難である。
本発明は、前記事情に着目してなされたもので、その目的とするところは、接着剤を用いることはなく、取付けねじが振動・衝撃によって緩むのを防止でき、保守点検、交換等が容易に行なえるねじ固定構造を提供することにある。
【課題を解決するための手段】
【０００５】
本発明は、前述した目的を達成するために、ねじ孔を有する第１の部材と、前記ねじ孔に対応する取付け部を有し、前記第１の部材に取付けられる第２の部材と、前記取付け部を貫通して前記ねじ孔に締付けられ、前記第１の部材と第２の部材とを取付けると共に、先端部が前記ねじ孔を貫通して突出する取付けねじと、前記取付けねじの前記先端部に設けられ、径方向に弾性変形可能であると共に外周部に係合部を有する弾性変形部と、前記第１の部材のねじ孔に連続して設けられ、該ねじ孔に対して前記取付けねじが所定の位置まで締付けられたとき、前記弾性変形部の係合部と係合して前記取付けねじの軸方向の移動を拘束するねじロック部と、前記第１の部材に設けられ、前記取付けねじが緩め方向に回転されたとき、前記弾性変形部と摺動して該弾性変形部を縮径方向に弾性変形して前記係合部をねじロック部からロック解除するロック解除部と、を具備したことを特徴とするねじ固定構造にある。
【発明の効果】
【０００６】
本発明によれば、取付けねじを所定の位置まで締付けると、取付けねじの係合部がねじロック部とロックされ、取付けねじの緩めを防止でき、また取付けねじを緩める際には容易にロック解除でき、保守点検、交換等が容易に行なえるという効果があり、あらゆる機器のねじ固定に適用できるという効果がある。
【発明を実施するための最良の形態】
【０００７】
以下、本発明の実施の形態を図面に基づいて説明する。
【０００８】
図１及び図２はねじ固定構造の第１の実施形態を示し、図１（ａ）は時計本体とバンドとの連結部の縦断側面図、（ｂ）は矢印Ａ方向から見たねじロック部とロック解除部の正面図、（ｃ）は矢印Ａ方向から見た取付けねじの先端部の端面図、図２はねじロック部とロック解除部の斜視図である。
【０００９】
図１に示す、３１は第１の部材としての腕時計のバンド駒を示し、３２は第２の部材としての時計本体を示す。バンド駒３１の時計本体３２との連結部には駒本体３３に対してパイプ３４がロー付け等によって嵌着され、このパイプ３４には同心的にねじ孔３５が設けられている。パイプ３４の一側部、つまりねじ孔３５の入口側には時計本体３２が接合され、この時計本体３２にはねじ孔３５に対応して取付け部としての取付け孔３６が設けられている。取付け孔３６は段付き孔であり、Ｏリング３７の収納部３６ａ及び取付けねじ３８の頭部３８ａと嵌合する嵌合部３６ｂが設けられている。
【００１０】
取付けねじ３８の軸部３８ｂの先端部はすり割されて軸部３８ｂの軸方向に割り溝３８ｃが形成され、径方向に弾性変形可能な弾性変形部３９が形成されている。軸部３８ｂの先端は先細のテーパ部３８ｄに形成され、その裾部における外周部には爪形状の係合部４０が形成されている。
【００１１】
また、前記パイプ３４の他側部、つまりねじ孔３５の出口側には仕切り壁４１が設けられ、この仕切り壁４１にはねじ孔３５と同心的で、取付けねじ３８の係合部４０より小径の嵌合孔４２が穿設されている。そして、嵌合孔４２の開口縁には弾性変形部３９の係合部４０と係合し、取付けねじ３８の軸方向の移動を拘束するねじロック部４３が設けられている。
【００１２】
さらに、図２にも示すように、パイプ３４の端部には仕切り壁４１を底面とする凹陥部からなるロック解除部４４が設けられている。このロック解除部４４の内周壁形状は、２つの真円をその一部が重なるように並置した形状で、嵌合孔４２の軸心を中心として左右対称に形成されている。そして、ロック解除部４４には２つの真円からなる４ヶ所に円弧状の傾斜ガイド面４５ａ〜４５ｄが形成されている。そして、隣り合う傾斜ガイド面４５ａと４５ｂとの間及び隣り合う傾斜ガイド面４５ｃと４５ｄとの間は嵌合孔４２の軸心方向に向って突出する突出部４６が形成され、この突出部４６の先端は嵌合孔４２の内周面と近接もしくは一致するように突出している。従って、取付けねじ３８の回転によって弾性変形部３９の係合部４０が傾斜ガイド面４５ａ（４５ｂ，４５ｃ、４５ｄ）と摺動すると、係合部４０が傾斜ガイド面４５ａ（４５ｂ，４５ｃ、４５ｄ）によって縮径方向（図１（ａ）の矢印ａ方向）に徐々に弾性変形される。そして、係合部４０が突出部４６によって嵌合孔４２の中心方向に誘導され、ねじロック部４３から外れてロック解除されるようになっている。
次に、前述のように構成されたねじ固定構造の作用について説明する。バンド駒３１と時計本体３２とを取付けねじ３８によって固定する際には、取付け孔３６に取付けねじ３８を挿通し、軸部３８ｂをねじ孔３５に締付ける。取付けねじ３８をさらに締付けると、その先端部の弾性変形部３９が嵌合孔４２に挿入される位置に到達するとともにバンド駒３１と時計本体３２がＯリング３７を介して密着した状態となる。このとき、取付けねじ３８の締付けに伴ってテーパ部３８ｄと嵌合孔４２が摺動し、弾性変形部３９がいったん縮径して嵌合孔４２を通過し、係合部４０が嵌合孔４２を通過すると、弾性変形部３９が復元して係合部４０がねじロック部４３に係合する。
そして、バンド駒３１と時計本体３２とが固定されるとともに取付けねじ３８が軸方向に移動不能にロックされた状態となる。従って、バンド駒３１や時計本体３２に振動、衝撃等が加わっても取付けねじ３８が緩むことはなく、仮に取付けねじ３８が緩み方向に回転しようとしても、取付けねじ３８の係合部４０がねじロック部４３に係合して取付けねじ３８の軸方向の移動が拘束されて移動することはない。
次に、バンドの交換等によってバンド駒３１を時計本体３２から取外す際には、取付けねじ３８をドライバー等の工具によって緩み方向（左）に回転させると、弾性変形部３９の係合部４０の端部がロック解除部４４の傾斜ガイド面４５ｂ及び４５ｄと摺動し、係合部４０が傾斜ガイド面４５ｂ，４５ｄに案内されて縮径方向（図１（ａ）の矢印ａ方向）に徐々に弾性変形される。そして、係合部４０が突出部４６に到達すると、嵌合孔４２の中心方向に誘導され、ねじロック部４３から外れてロック解除される。弾性変形部３９の係合部４０が嵌合孔４２から抜けると、取付けねじ３８は緩み方向に自由に回転し、取付けねじ３８をパイプ３４から抜き取ることができ、バンド駒３１を時計本体３２から取外すことができる。従って、バンドの交換等を容易に行なうことができる。
なお、前記実施形態においては、時計本体とバンド駒との連結部におけるねじ固定構造について説明したが、時計本体と裏蓋との連結部におけるねじ固定構造についても適用できるとともに、腕時計に限定されず、あらゆる機器のねじ固定構造に適用できる。
【図面の簡単な説明】
【００１３】
【図１】本発明のねじ固定構造の第１の実施形態を示し、（ａ）は時計本体とバンドとの連結部の縦断側面図、（ｂ）は矢印Ａ方向から見たねじロック部とロック解除部の正面図、（ｃ）は矢印Ａ方向から見た取付けねじの先端部の端面図。
【図２】同実施形態のねじロック部とロック解除部の斜視図。
【図３】従来例を示し、バンド取付け構造の断面図。
【図４】従来例を示し、裏蓋取付け構造の断面図。
【符号の説明】
【００１４】
３１…バンド駒（第1の部材）、３２…時計本体（第２の部材）、３５…ねじ孔、３６…取付け孔（取付け部）、３８…取付けねじ、３９…弾性変形部、４０…係合部、４３…ねじロック部、４４…ロック解除部
【図１】
2008125639.tif 000003
【図２】
2008125639.tif 000004
【図３】
2008125639.tif 000005
【図４】
2008125639.tif 000006